(57)【要約】【課題】ユーザが一人で練習を行ってもスイングを容易かつ客観的に確認できて矯正可能で、しかもスイング時における違和感が少ないスイング練習用具及びスイング練習方法を提供する。【解決手段】飛球線Ｈを地面に表示しておき、スイング練習用具３０をアイアン１００のシャフトＳに取付けるとともに、バックスイングにおいて、スイング練習用具３０が水平状態になるまでは、レーザー光Ｌ１を飛球線Ｈに沿わせ、スイング練習用具３０が水平状態を超えた後は、レーザー光Ｌ２を飛球線Ｈに沿わせ、ダウンスイングにおいて、スイング練習用具３０が水平状態になるまでは、レーザー光Ｌ２を飛球線Ｈに沿わせ、ダウンスイングからフォロースルーにおいて、スイング練習用具３０が水平状態を超えた後１８０度位置をかえ再び水平状態になるまでは、レーザー光Ｌ１を飛球線Ｈに沿わせる。【選択図】図２
2014097098.tif 000002
【特許請求の範囲】
【請求項１】
ゴルフクラブへ脱着可能なスイング練習用具であって、
本体部と、
前記本体部の先端側に取付けられ前記本体部の軸方向に直進性を有する光を射出する先端側発光部と、
前記本体部の末端側に取付けられ前記先端側発光部からの光とは反対方向に直進性を有する光を射出する末端側発光部と、
前記本体部をゴルフクラブのシャフトに対して平行に離しかつユーザの握り位置を外して取付可能な取付け部を備えたことを特徴とするスイング練習用具。
【請求項２】
ドライバー又はアイアンにスイング練習用具を取付けて行うゴルフのスイング練習方法であって、
アドレス時のボール設置点と目標地点とを通り前後に延びる飛球線を地面に表示しておき、
先端側及び末端側から直進性を有する光を互いに反対方向に射出するスイング練習用具をドライバー又はアイアンのシャフトに対して平行で前記アドレス時にボール設置点とは逆側の位置となる後側に離しかつユーザの握り位置を外して取付けるとともに、
アドレスからトップまで前記ドライバー又はアイアンを振り上げるバックスイングにおいて、前記スイング練習用具が水平状態になるまでは、前記スイング練習用具の先端側から射出される光を前記飛球線に沿わせ、前記スイング練習用具が水平状態を超えた後は、前記スイング練習用具の末端側から射出される光を前記飛球線に沿わせ、
前記トップから前記ドライバー又はアイアンを振り下ろすダウンスイングにおいて、前記スイング練習用具が水平状態になるまでは、前記スイング練習用具の末端側から射出される光を前記飛球線に沿わせ、
ダウンスイングからフォロースルーにおいて、前記スイング練習用具が水平状態を超えた後１８０度位置をかえ再び水平状態になるまでは、前記スイング練習用具の先端側から射出される光を前記飛球線に沿わせることで、
前記ドライバー又はアイアンが常に一面のスイングプレーン上を通るスイングを習得可能とすることを特徴とするスイング練習方法。
【請求項３】
パターにスイング練習用具を取付けて行うゴルフのスイング練習方法であって、
アドレス時のボール設置点と目標地点を通り前後に延びる飛球線を地面に表示しておき、
先端側から直進性を有する光を射出するスイング練習用具をパターのシャフトに対して平行で前記アドレス時にボール設置点側の位置となる前側に離しかつユーザの握り位置を外して取付けるとともに、
テイクバックからフォロースルーにおいて、前記スイング練習用具の先端側から射出される光を前記飛球線に沿わせることで、
前記パターが常に飛球線に沿って振れるスイングを習得可能とすることを特徴とするスイング練習方法。
【請求項４】
前記飛球線の表示を紐体で行ったことを特徴とする請求項２又は３に記載のスイング練習方法。
【発明の詳細な説明】
【技術分野】
【０００１】
本発明は、ゴルフクラブへ脱着可能なスイング練習用具及びそれをゴルフクラブへ取付けて行うゴルフのスイング練習方法に関するものである。
【背景技術】
【０００２】
ゴルフを趣味又は職業とするユーザは自分が狙った場所に正確にボールを飛ばすこと、及びより遠くへボールを飛ばすことに苦心しているが、これは簡単に習得できるものではないため、熱心に練習を行うユーザは多い。
このようなユーザが自宅で使用するゴルフ練習用具として、紐付きの練習用ゴルフボールを備えるものが開示されている（例えば、特許文献１参照）。
【０００３】
このゴルフ練習用具は、一度購入してしまえばその後はコストが掛からないので、安価に練習を行うことができる。
また、練習用ボールに紐が付いているので、限られた広さの自宅等であっても練習を行うことができる。よって、練習したいと思い立ったときに気軽にゴルフの練習をすることができる。
しかも、実際にゴルフクラブでボールを打つので、限られた広さの自宅等の練習場所であってもインパクトの感覚を得ることができる。
【０００４】
しかし、このゴルフ練習用具を用いた練習は、通常ユーザが自宅において一人で行うことになるが、ビデオカメラで録画等しない限り、ユーザはスイングを客観的に確認することができない。
このようにスイングを客観的に確認できないことにより悪いスイングを矯正できないままであると、いくらスイング練習を繰り返し行っても正確にボールを飛ばせられるようにはならないので、客観的にスイングを確認して正しいスイングを習得することが重要である。
【０００５】
そこで、客観的に自分のスイングを確認するためのスイング練習用具が開示されている（例えば、特許文献２，３参照）。
【０００６】
図５のスイング練習用具１０は、本体部１１と、それぞれレーザー光を射出する先端側発光部１２及び末端側発光部１３とを備えている。そして、これは、ユーザがスイング練習用具１０自体を握ってスイングする、スイング練習に特化した専用品である。
このスイング練習用具１０を用いると、アドレス時、インパクト時といったスイングの各段階において、例えばアドレス時には末端側発光部１３からのレーザー光Ｌ２が左足の股関節付近を差すようにする等、スイングを客観的に確認して理想的なスイングに矯正することができる。
【０００７】
また、図６のスイング練習用具２０は、ユーザが通常使用しているゴルフクラブのグリップＧに嵌着され、反ヘッド側に光Ｌ２を発するものである。
このスイング練習用具２０においても、光Ｌ２が差す場所を視認することで、スイングを客観的に確認して矯正することができる。
【先行技術文献】
【特許文献】
【０００８】
【特許文献１】特許第３５９８２２３号公報
【特許文献２】特開２０００−１９７７２１号公報
【特許文献３】実開平６−１９７７０号公報
【発明の概要】
【発明が解決しようとする課題】
【０００９】
しかしながら、図５のスイング練習用具１０は、練習のみに使用する専用品であり、全長が通常のゴルフクラブよりも短く、重心の位置がゴルフクラブとは異なるので、ユーザがこのスイング練習用具１０で理想的なスイングを習得できてもその習得した理想的なスイングを実際のゴルフクラブを持ったときに行えるとは限らない。
また、スイングの各段階において、レーザー光Ｌ１，Ｌ２がどこを指しているのか確認する場所がそれぞれ異なるので、理想的なスイングができているのか否かが一目ではわかり難いという問題もある。
【００１０】
また、図６のスイング練習用具２０はゴルフクラブのグリップＧに嵌着されるので、ユーザの握り位置に干渉してしまう。つまり、このスイング練習用具２０を取付けてスイングした場合と、スイング練習用具２０を取外して通常のゴルフクラブをスイングした場合では、握り（グリップ）自体が異なるものとなってしまいユーザにとって違和感があるので、やはり通常のゴルフクラブのみでスイングしたときに、それが理想的なスイングとはなり難い。
【００１１】
そこで、本発明の目的とするところは、ユーザが一人で練習を行ってもスイングを容易かつ客観的に確認できて矯正可能で、しかもスイング時における違和感が少ないスイング練習用具及びスイング練習方法を提供することにある。
【課題を解決するための手段】
【００１２】
上記の目的を達成するために、本発明の請求項１に記載のスイング練習用具（３０）は、ゴルフクラブ（１００，２００，３００）へ脱着可能なスイング練習用具（３０）であって、本体部（３１）と、前記本体部（３１）の先端側に取付けられ前記本体部（３１）の軸方向に直進性を有する光（Ｌ１）を射出する先端側発光部（３２）と、前記本体部（３１）の末端側に取付けられ前記先端側発光部（３２）からの光（Ｌ１）とは反対方向に直進性を有する光（Ｌ２）を射出する末端側発光部（３３）と、前記本体部（３１）をゴルフクラブ（１００，２００，３００）のシャフト（Ｓ）に対して平行に離しかつユーザの握り位置を外して取付可能な取付け部（３４）を備えたことを特徴とする。
【００１３】
また、請求項２に記載のスイング練習方法は、ドライバー（３００）又はアイアン（１００）にスイング練習用具（３０）を取付けて行うゴルフのスイング練習方法であって、アドレス時のボール設置点（Ｂ）と目標地点とを通り前後に延びる飛球線（Ｈ）を地面に表示しておき、先端側及び末端側から直進性を有する光（Ｌ１，Ｌ２）を互いに反対方向に射出するスイング練習用具（３０）をドライバー（３００）又はアイアン（１００）のシャフト（Ｓ）に対して平行で前記アドレス時にボール設置点（Ｂ）とは逆側の位置となる後側に離しかつユーザの握り位置を外して取付けるとともに、アドレスからトップまで前記ドライバー（３００）又はアイアン（１００）を振り上げるバックスイングにおいて、前記スイング練習用具（３０）が水平状態になるまでは、前記スイング練習用具（３０）の先端側から射出される光（Ｌ１）を前記飛球線（Ｈ）に沿わせ、前記スイング練習用具（３０）が水平状態を超えた後は、前記スイング練習用具（３０）の末端側から射出される光（Ｌ２）を前記飛球線（Ｈ）に沿わせ、前記トップから前記ドライバー（３００）又はアイアン（１００）を振り下ろすダウンスイングにおいて、前記スイング練習用具（３０）が水平状態になるまでは、前記スイング練習用具（３０）の末端側から射出される光（Ｌ２）を前記飛球線（Ｈ）に沿わせ、ダウンスイングからフォロースルーにおいて、前記スイング練習用具（３０）が水平状態を超えた後１８０度位置をかえ再び水平状態になるまでは、前記スイング練習用具（３０）の先端側から射出される光（Ｌ１）を前記飛球線（Ｈ）に沿わせることで、前記ドライバー（３００）又はアイアン（１００）が常に一面のスイングプレーン上を通るスイングを習得可能とすることを特徴とする。
【００１４】
また、請求項３に記載のスイング練習方法は、パター（２００）にスイング練習用具（３０）を取付けて行うゴルフのスイング練習方法であって、アドレス時のボール設置点（Ｂ）と目標地点を通り前後に延びる飛球線（Ｈ）を地面に表示しておき、先端側から直進性を有する光（Ｌ１）を射出するスイング練習用具（３０）をパター（２００）のシャフト（Ｓ）に対して平行で前記アドレス時にボール設置点（Ｂ）側の位置となる前側に離しかつユーザの握り位置を外して取付けるとともに、テイクバックからフォロースルーにおいて、前記スイング練習用具（３０）の先端側から射出される光（Ｌ１）を前記飛球線（Ｈ）に沿わせることで、前記パター（２００）が常に飛球線（Ｈ）に沿って振れるスイングを習得可能とすることを特徴とする。
【００１５】
また、請求項４に記載のスイング練習方法は、前記飛球線（Ｈ）の表示を紐体で行ったことを特徴とする。
【００１６】
ここで、上記括弧内の記号は、図面および後述する発明を実施するための形態に掲載された対応要素または対応事項を示す。
【発明の効果】
【００１７】
本発明の請求項１に記載のスイング練習用具によれば、本体部の先端側に取付けられ本体部の軸方向に直進性を有する光を射出する先端側発光部と、本体部の末端側に取付けられ先端側発光部からの光とは反対方向に直進性を有する光を射出する末端側発光部を備えるので、先端側発光部及び末端側発光部からそれぞれ射出される光を目視することにより、ユーザが一人で練習を行ってもスイングを容易かつ客観的に確認できて、そのスイングを矯正可能である。
【００１８】
また、本体部をゴルフクラブのシャフトに対して平行に離して取付可能な取付け部を備えるので、ユーザが所有しているゴルフクラブを使用してスイング練習を行うことができる。
しかも、取付け部はユーザの握り位置を外して本体部に取付けられるので、スイング練習用具がユーザの握りに干渉することがない。
したがって、本発明に係るスイング練習用具を使用しても、スイング時における違和感が少ない。
【００１９】
また、請求項２に記載のスイング練習方法によれば、アドレス時のボール設置点と目標地点とを通り前後に延びる飛球線を地面に表示しておき、スイングの各段階において、スイング練習用具の先端側又は末端側から射出される直進性を有する光を飛球線に沿わせるので、その光及び飛球線を目視するだけで、ユーザが一人で練習を行ってもスイングを容易かつ客観的に確認できて、そのスイングを矯正可能である。
すなわち、スイングのいずれの段階においてもユーザは光及び表示された飛球線に注目するだけでよいので、スイングの確認を非常に容易かつ客観的に行うことができ、しかもその飛球線に光を沿わせるスイングを行うと、それはドライバー又はアイアンが常に一面のスイングプレーン上を通る理想的なスイングとなる。
【００２０】
また、スイング練習用具をドライバー又はアイアンのシャフトに対して平行に離して取付けるので、ユーザが所有しているドライバー又はアイアンを使用してスイング練習を行うことができる。
また、スイング練習用具はユーザの握り位置を外して取付けるので、スイング練習用具がユーザの握りに干渉することがなく、スイング時における違和感が少ない。
しかも、スイング練習用具をアドレス時にボール設置点とは逆側の位置となる後側に取付けるので、大きくバックスイングを行うドライバー又はアイアンでのスイングの客観的な確認をより行い易い。
【００２１】
また、請求項３に記載のスイング練習方法によれば、アドレス時のボール設置点と目標地点を通り前後に延びる飛球線を地面に表示しておき、テイクバックからフォロースルーにおいて、スイング練習用具の先端側から射出される直進性を有する光を飛球線に沿わせるので、その光及び飛球線を目視するだけで、ユーザが一人で練習を行ってもスイング（パッティング）を容易かつ客観的に確認できて、そのスイングを矯正可能である。
すなわち、スイングのいずれの段階においてもユーザは光及び表示された飛球線に注目するだけでよいので、スイングの確認を非常に容易かつ客観的に行うことができ、しかもその飛球線に光を沿わせるスイングを行うと、それはパターが常に飛球線に沿って振れる理想的なスイングとなる。
【００２２】
また、スイング練習用具をパターのシャフトに対して平行に離して取付けるので、ユーザが所有しているパターを使用してスイング練習を行うことができる。
また、スイング練習用具はユーザの握り位置を外して取付けるので、スイング練習用具がユーザの握りに干渉することがなく、スイング時における違和感が少ない。
しかも、スイング練習用具をアドレス時にボール設置点側となる前側に取付けるので、大きくバックスイングを行わないパターでのスイングの客観的な確認をより行い易い。
【００２３】
また、請求項４に記載のスイング練習方法によれば、飛球線の表示を紐体で行ったので、ユーザは紐体を移動させることで好きな場所でスイング練習を行うことができる。
【００２４】
なお、本発明のスイング練習用具及びスイング練習方法のように、スイングの各段階において、スイング練習用具の先端側又は末端側から射出される光を飛球線に沿わせて、ゴルフクラブが常に一面のスイングプレーン上を通るスイングを習得可能とする点は、上述した特許文献１乃至３には全く記載されていない。
【図面の簡単な説明】
【００２５】
【図１】本発明の第一実施形態に係るスイング練習用具をアイアンに取付けた状態を示す正面図である。
【図２】本発明の第一実施形態に係るスイング練習用具を使用したスイング練習方法において、スイングの各段階を（ａ）から（ｋ）まで順に時系列で並べた平面図である。
【図３】本発明の第二実施形態に係るスイング練習用具をパターに取付けた状態を示す正面図である。
【図４】本発明の第一実施形態に係るスイング練習用具をドライバーに取付けた状態を示す正面図である。
【図５】従来例に係るスイング練習用具を示す平面図である。
【図６】その他の従来例に係るスイング練習用具を示す平面図である。
【発明を実施するための形態】
【００２６】
（第一実施形態）
図１及び図２を参照して、本発明の第一実施形態に係るスイング練習用具３０及びスイング練習方法を説明する。
このスイング練習用具３０は、ゴルフクラブへ脱着可能なスイング練習用具３０であって、本体部３１と、先端側発光部３２と、末端側発光部３３と、取付け部３４を備えるものである。
【００２７】
本体部３１は、外形が略円柱状であって、内部に乾電池等の電源を収納可能になっている。この電源は先端側発光部３２及び末端側発光部３３の内部にそれぞれ収納するようにしていてもよい。
また、スイング練習用具３０全体の軽量化を図るため、できる限り本体部３１の内部には空隙が設けられている。
【００２８】
本実施形態において、先端側発光部３２と末端側発光部３３は同一の構成である。
先端側発光部３２及び末端側発光部３３は、一個又は複数個のＬＥＤを有し、先端側発光部３２は本体部３１の先端側（スイング練習用具３０がゴルフクラブに取付けられたときのヘッド側）に取付けられ、一方、末端側発光部３３は本体部３１の末端側（スイング練習用具３０がゴルフクラブに取付けられたときのグリップＧ側）に取付けられる。
先端側発光部３２と末端側発光部３３は同一の構成であるので、先端側発光部３２又は末端側発光部３３のいずれをゴルフクラブのヘッド側に取付けてもよい。ここでは便宜上、スイング練習用具３０がゴルフクラブに取付けられたときに、そのヘッド側にある発光部のことを先端側発光部３２、その反対側の発光部のことを末端側発光部３３とそれぞれ呼ぶ。
【００２９】
また、先端側発光部３２及び末端側発光部３３には、点灯と消灯を切り替えるスイッチ（図示しない）がそれぞれ設けられており、末端側発光部３３の点灯及び消灯は、先端側発光部３２の点灯及び消灯とは独立している。
そして、ＬＥＤの点灯時には本体部３１の軸方向に、直進性を有するレーザー光Ｌ１，Ｌ２を射出する。
ここで、末端側発光部３３は、先端側発光部３２からのレーザー光Ｌ１とは反対方向に、直進性を有するレーザー光Ｌ２を射出する。つまり、末端側発光部３３からのレーザー光Ｌ２は、先端側発光部３２からのレーザー光Ｌ１と同一直線上に射出され、互いに反対向きである。
【００３０】
また、このスイング練習用具３０の使用時において、先端側発光部３２及び末端側発光部３３にはスイングによる遠心力が掛かるが、そのスイング時に先端側発光部３２及び末端側発光部３３が本体部３１から不意に外れないように確実に取付けられている。この先端側発光部３２及び末端側発光部３３の本体部３１への取付けは、嵌合や螺合等の既知の手段であればその方法は問わない。
【００３１】
取付け部３４は、本体部３１をゴルフクラブのシャフトＳに対して平行に離して取付け可能とするものであり、先端側取付け部３４Ａと末端側取付け部３４Ｂの二部品からなる。
先端側取付け部３４Ａと末端側取付け部３４Ｂとの間の距離は任意に選択でき、先端側取付け部３４Ａは本体部３１（又は先端側発光部３２）をシャフトＳに対して固定し、末端側取付け部３４Ｂは本体部３１（又は末端側発光部３３）をグリップＧの先端部分に対して固定する。この固定は例えばネジ留めによって行う。このように、ユーザの握り位置を外して本体部３１を取付可能となっている。
仮に、この取付け位置において末端側取付け部３４Ｂがユーザの握り位置に干渉する場合には、スイング練習用具３０を全体的にゴルフクラブの先端側に移動させて、末端側取付け部３４ＢもシャフトＳに固定する。
【００３２】
次に、このように構成されたスイング練習用具３０をゴルフクラブに取付けて行うゴルフのスイング練習方法について、図１及び図２を参照して説明する。
本実施形態では、ゴルフクラブがアイアン１００である場合とする。なお、ゴルフクラブがドライバー３００であっても同様のスイング練習を行うことができる。
なお、図２においては簡単のため、アイアン１００を省略してある。
【００３３】
まず、アドレス時のボール設置点Ｂと目標地点とを通り前後に延びる飛球線Ｈを地面に表示する。
このボール設置点Ｂとは、ゴルフボールが置かれるという設定の点であり、実際にはボールは設置されていない状態でスイング練習を行う。もちろん、ここに実際にボールが設置されてもよい。
そして、飛球線Ｈの表示は、例えば２〜４メートルの紐体を前後方向に延ばして配置することで行う。ここで、紐体の前後方向の中心位置がボール設置点Ｂと重なるようにしている。
【００３４】
次に、図１に示すように、取付け部３４によってスイング練習用具３０をアイアン１００のシャフトＳに対して平行に取付ける。このとき、スイング練習用具３０を、アドレス時にボール設置点Ｂとは逆側の位置となる後側（アイアン１００のフェースＦとは反対側）に離し、かつユーザの握り位置から外しておく。
【００３５】
そして、先端側発光部３２及び末端側発光部３３のスイッチを入れて、それぞれからレーザー光Ｌ１，Ｌ２を射出させる。
【００３６】
次に、スイング練習用具３０が取付けられたアイアン１００を通常通り握ってスイングを行う。
このとき、アドレス（図２（ａ））からトップ（図２（ｅ））までアイアン１００を振り上げるバックスイングにおいて、スイング練習用具３０が水平状態（図２（ｄ））になるまでは、スイング練習用具３０の先端側から射出されるレーザー光Ｌ１を飛球線Ｈに沿わせる。
つまり、図２（ｂ）や図２（ｃ）のようにレーザー光Ｌ１で飛球線Ｈを指す。
【００３７】
ここで、スイング練習用具３０が水平状態（図２（ｄ））になる直前においては、レーザー光Ｌ１もほぼ飛球線Ｈに平行であり、しかも紐体で表示した飛球線Ｈは有限の長さであるので、レーザー光Ｌ１で飛球線Ｈを指すことができなくなるが、現実的には表示した飛球線Ｈにレーザー光を前から後ろへ順に沿わせ、紐体の後端まで指すことができればそれでよい。これは、レーザー光Ｌ２を紐体の前端側に沿わせる場合でも同様である。
【００３８】
そして、スイング練習用具３０が水平状態（図２（ｄ））を超えた後は、スイング練習用具３０の末端側から射出されるレーザー光Ｌ２を飛球線Ｈに沿わせる。
【００３９】
次に、トップ（図２（ｅ））からアイアン１００を振り下ろすダウンスイングにおいて、スイング練習用具３０が水平状態（図２（ｆ））になるまでは、スイング練習用具３０の末端側から射出されるレーザー光Ｌ２を飛球線Ｈに沿わせる。
【００４０】
その後のダウンスイングからフォロースルーにおいては、スイング練習用具３０が水平状態（図２（ｆ））を超えた後、インパクト（図２（ｈ））を経由して１８０度位置をかえ、再び水平状態（ｊ）になるまでは、スイング練習用具３０の先端側から射出されるレーザー光Ｌ１を飛球線Ｈに沿わせる。
【００４１】
最後に、その水平状態（図２（ｊ））を超えた後からフィニッシュ（図２（ｋ））までは、スイング練習用具３０の末端側から射出されるレーザー光Ｌ２を飛球線Ｈに沿わせる。
【００４２】
これらの一つ一つの動作についてレーザー光Ｌ１，Ｌ２が指す先を確認しながらこのスイングをゆっくり行う。そして、通常のスピードでスイングしてもレーザー光Ｌ１，Ｌ２が飛球線Ｈからぶれないようになるまで繰り返し練習する。
【００４３】
以上のように構成されたスイング練習用具３０及びスイング練習方法によれば、本体部３１の先端側に取付けられ本体部３１の軸方向にレーザー光Ｌ１を射出する先端側発光部３２と、本体部３１の末端側に取付けられ先端側発光部３２からのレーザー光Ｌ１とは反対方向にレーザー光Ｌ２を射出する末端側発光部３３を備えるので、先端側発光部３２及び末端側発光部３３からそれぞれ射出されるレーザー光Ｌ１，Ｌ２を目視することにより、ユーザが一人で練習を行ってもスイングを容易かつ客観的に確認できて、そのスイングを矯正可能である。
すなわち、スイングのいずれの段階においてもユーザはレーザー光Ｌ１，Ｌ２及び表示された飛球線Ｈに注目するだけでよいので、スイングの確認を非常に容易かつ客観的に行うことができ、しかもその飛球線Ｈにレーザー光を沿わせるスイングを行うと、それはアイアン１００が常に一面のスイングプレーン上を通る理想的なスイングとなる。
【００４４】
また、本体部３１をアイアン１００のシャフトＳに対して平行に離して取付可能な取付け部３４を備えるので、ユーザが所有しているゴルフクラブを使用してスイング練習を行うことができる。
しかも、取付け部３４はユーザの握り位置を外して本体部３１に取付けられるので、スイング練習用具３０がユーザの握りに干渉することがない。
したがって、本実施形態に係るスイング練習用具３０を使用しても、スイング時における違和感が少ない。
【００４５】
また、スイング練習用具３０をアドレス時にボール設置点Ｂとは逆側の位置となる後側に取付けるので、大きくバックスイングを行うアイアン１００でのスイングの客観的な確認をより行い易い。
【００４６】
また、飛球線Ｈの表示を紐体で行ったので、ユーザは紐体を移動させることで好きな場所でスイング練習を行うことができる。
【００４７】
（第二実施形態）
次に図３を参照して、本発明の第二実施形態に係るスイング練習方法を説明する。なお、第一実施形態と同一部分には同一符号を付した。
本実施形態の第一実施形態との違いは、スイング練習用具３０を取付けるゴルフクラブがパター２００であることであり、スイング練習用具３０自体は第一実施形態と同一である。
また、飛球線Ｈも第一実施形態と同様の方法で直線状に表示されているものとする。
【００４８】
まず、取付け部３４によって、スイング練習用具３０をパター２００のシャフトＳに対して平行に取付ける。このとき、第一実施形態とは異なり、スイング練習用具３０を、アドレス時にボール設置点Ｂ側の位置となる前側（パター２００のフェースＦ側）に離し、かつユーザの握り位置から外しておく。
【００４９】
そして、先端側発光部３２のみのスイッチを入れて、スイング練習用具３０の先端側からレーザー光Ｌ１を射出させる。
【００５０】
次に、スイング練習用具３０が取付けられたパター２００を通常通り握ってスイング（パッティング）を行う。
このとき、テイクバックからフォロースルーの全ての段階において、スイング練習用具３０の先端側から射出されるレーザー光Ｌ１を飛球線Ｈに沿わせる。
【００５１】
このようなパター２００のスイング練習方法によれば、ゴルフクラブがパター２００であってもアイアン１００の場合と同様に、レーザー光Ｌ１及び表示された飛球線Ｈを目視するだけで、ユーザが一人で練習を行ってもスイングを容易かつ客観的に確認できて、そのスイングを矯正可能である。
すなわち、スイングのいずれの段階においてもユーザはレーザー光Ｌ１及び飛球線Ｈに注目するだけでよいので、スイングの確認を非常に容易かつ客観的に行うことができ、しかもその飛球線Ｈにレーザー光Ｌ１を沿わせるスイングを行うと、それはパター２００が常に飛球線Ｈに沿って真っ直ぐに振れる理想的なスイングとなる。
【００５２】
また、スイング練習用具３０をパター２００のシャフトＳに対して平行に離して取付けるので、ユーザが所有しているパター２００を使用してスイング練習を行うことができる。
また、スイング練習用具３０はユーザの握り位置を外して取付けるので、スイング練習用具３０がユーザの握りに干渉することがなく、スイング時における違和感が少ない。
しかも、スイング練習用具３０をアドレス時にボール設置点Ｂ側となる前側に取付けるので、大きくバックスイングを行わないパター２００でのスイングの客観的な確認をより行い易い。
【００５３】
なお、第一、第二実施形態において、飛球線Ｈの表示を紐体により行ったが、これに限られるものではなく、飛球線Ｈを地面に直接ペンキ等で表示してもよい。また、飛球線Ｈを表示せずに、ユーザが飛球線Ｈを思い浮かべながらスイング練習を行ってもよい。
また、スイング練習用具３０から発せられる光はＬＥＤから射出されるレーザー光Ｌ１，Ｌ２であるとしたが、これに限られるものではなく、直進性を有するものであれば懐中電灯に用いられるような電球等を光源とする他の光であってもよい。この直進性を有する光には、光の広がりが多少あっても、ユーザの手元から飛球線を指し示すことができる光が全て含まれる。
【００５４】
また、本体部３１の外形を略円柱状としたが、これに限られるものではない。
また、取付け部３４Ａ，３４Ｂは二部品からなるとしたが、これに限られるものではなく、スイング練習用具３０の本体部３１をシャフトＳに対して平行に離して取付け可能であれば、他の態様であってもよい。
【００５５】
また、図４に示すように、先端側取付け部３４Ａ、末端側取付け部３４Ｂのそれぞれが延長可能であって、本体部３１をシャフトＳからより離してその位置で固定するようにしてもよい。これにより、バックフェースが後側に大きく膨らんだドライバー３００にスイング練習用具３０を取付ける場合であっても、レーザー光Ｌ１がバックフェースに遮られることがないので、レーザー光Ｌ１を飛球線Ｈに沿わせることができる。
【００５６】
さらに、飛球線Ｈの表示を行い、その後にスイング練習用具３０をゴルフクラブ１００，２００に取付けたが、これに限られるものではなく、この順序は問わない。
【００５７】
また、第二実施形態において、末端側発光部３３は消灯したままで先端側発光部３２のみを点灯させて、パター２００のスイング練習を行うとしたが、これに限られるものではなく、末端側発光部３３を備えず、先端側発光部３２のみを備えるパター２００専用のスイング練習用具であってもよい。
また、第二実施形態において、飛球線Ｈの表示を直線状に行ったがこれに限られるものではなく、ユーザのパッティング流儀に合わせて紐体を湾曲させて配置した、円弧状の飛球線Ｈの表示であってもよい。この場合も、その流儀における理想的なパッティングを習得可能である。
【符号の説明】
【００５８】
１０      スイング練習用具
１１      本体部
１２      先端側発光部
１３      末端側発光部
２０      スイング練習用具
３０      スイング練習用具
３１      本体部
３２      先端側発光部
３３      末端側発光部
３４      取付け部
３４Ａ    先端側取付け部
３４Ｂ    末端側取付け部
１００      アイアン
２００      パター
３００      ドライバー
Ｂ      ボール設置点
Ｆ      フェース
Ｇ      グリップ
Ｈ      飛球線
Ｌ１    先端側から射出されるレーザー光
Ｌ２    末端側から射出されるレーザー光
Ｓ      シャフト
【図１】
2014097098.tif 000003
【図２】
2014097098.tif 000004
【図３】
2014097098.tif 000005
【図４】
2014097098.tif 000006
【図５】
2014097098.tif 000007
【図６】
2014097098.tif 000008